(57)【要約】【課題】スプールが正常に装填されないことによるフィルムの給送不良を防止する。【解決手段】スプールロックボタン３４が押下されていないときには、ボタン受け５０の内部で嵌合板５６が支軸１６によって係止され、ロック防止片４４が蓋ロックレバー３２と当接して蓋ロックレバー３２の移動を阻止するため、フィルム装填蓋１０を閉じることができない。一方、スプールロックボタン３４が押下されているときには、ボタン受け５０の内部で嵌合板５６が軸止め５２によって係止され、ロック防止片４４と蓋ロックレバー３２とが当接しないため、フィルム装填蓋１０を閉じることができる。【選択図】        図４
2004302103.tif 000002
【特許請求の範囲】
【請求項１】
カメラ本体内部に設けられ、空スプールが装填されるフィルム巻取室と、係合位置で前記空スプールを前記フィルム巻取室に回転自在に保持し、係合解除位置で前記スプールの保持を解除するスプールロック手段とを備えたブローニーカメラにおいて、
前記スプールロック手段と連動し、前記スプールロック手段が係合解除位置にあるときには撮影者のフィルム装填蓋閉じ操作もしくはフィルム巻取り操作を禁止する操作禁止手段を設けたことを特徴とするブローニーカメラ。
【請求項２】
前記操作禁止手段は、前記スプールロック手段が係合解除位置にあるときに前記フィルム装填蓋を閉じ位置にロックする蓋ロック部材に当接して前記蓋ロック部材の動作を禁止することにより、撮影者のフィルム装填蓋閉じ操作を禁止する蓋閉じ操作禁止手段であることを特徴とする請求項１記載のブローニーカメラ。
【発明の詳細な説明】
【０００１】
【発明の属する技術分野】
本発明は、スプールが保持されていない状態でフィルム給送が行われることを防止するカメラの安全操作機構に関するものである。
【０００２】
【従来の技術】
ブローニーサイズのロールフィルムは、カートリッジ（パトローネ）が付いていないため、遮光用の裏紙を用いてフィルムをスプールにロール形態に巻き取って遮光した状態で市販されている。このようなフィルムを用いるカメラでは、未露光の写真フィルムを巻回したスプール（実スプール）がフィルム装填室に、空のスプールがフィルム巻取室にそれぞれ装填され、実スプールから未露光の写真フィルムを引き出しながら撮影が行われ、撮影済みの写真フィルムが空のスプールに巻き取られる。すべての撮影が完了した後には、撮影済みの写真フィルムを巻き取ったスプールがフィルム巻取室から取り出されて現像所に提出される。
【０００３】
実スプールのフィルム装填室への装填及び空スプールのフィルム巻取室への装填は、スプールをフィルム装填室及びフィルム巻取室に回転自在に保持するスプールロックボタンを操作することにより行われる。実スプール及び空スプールをフィルム装填室及びフィルム巻取室にセットした後、スプールロックボタンを係合位置に押下すると、スプールロックボタンと一体に設けられた受け軸がスプールに設けられたキー溝と係合することにより、実スプール及び空スプールがフィルム装填室及びフィルム巻取室に回転自在にロックされる。撮影者は実スプール及び空スプールをフィルム装填室及びフィルム巻取室にロックした後、フィルムの先端部を空スプールに挿入してフィルム装填蓋を閉じる。
【０００４】
撮影時に撮影者がフィルム巻取り操作を行うと、空のスプールが回転することにより未露光のフィルムが実スプールから引き出され、露光済みのフィルムが空スプールに巻き取られていく。すべての撮影が終了し、フィルムを取り出す際にフィルム装填蓋を開けると、フィルム巻取室には露光済みのフィルムがすべてきれいに空スプールに巻き取られた状態になっている。
【０００５】
【発明が解決しようとする課題】
しかしながら、撮影者が実スプール及び空スプールをセットした後、スプールロックボタンを係合位置に押下してスプールを受け軸に係合させることなくフィルム装填蓋を閉じてフィルム巻取り操作を行うと、受け軸に係合されていないスプールが偏心回転してしまい、露光済みのフィルムが空スプールに竹の子状にずれて巻き取られてしまうという問題があった。
【０００６】
本発明は上記問題を解決するためのものであり、スプール装填のミスによるフィルムの巻取り不良を防止するカメラの安全操作機構を提供することを目的とする。
【０００７】
【課題を解決するための手段】
上記目的を達成するために、本発明のブローニーカメラは、カメラ本体内部に設けられ、空スプールが装填されるフィルム巻取室と、係合位置で前記空スプールを前記フィルム巻取室に回転自在に保持し、係合解除位置で前記スプールの保持を解除するスプールロック手段とを備えたブローニーカメラにおいて、前記スプールロック手段と連動し、前記スプールロック手段が係合解除位置にあるときには撮影者のフィルム装填蓋閉じ操作もしくはフィルム巻取り操作を禁止する操作禁止手段を設けたことを特徴とする。
【０００８】
また、前記操作禁止手段は、前記スプールロック手段が係合解除位置にあるときに前記フィルム装填蓋を閉じ位置にロックする蓋ロック部材に当接して前記蓋ロック部材の動作を禁止することにより、撮影者のフィルム装填蓋閉じ操作を禁止する蓋閉じ操作禁止手段であることが好ましい。
【０００９】
【発明の実施の形態】
図１は、本発明を実施したブローニーカメラの背面図である。ブローニーカメラ２のフィルム装填蓋１０を開けると、本体３の背面にフィルム装填室１２とフィルム巻取室１４とが現れる。フィルム装填室１２の上下壁面には支軸１６が設けられており、ブローニーフィルムが巻きつけられた実スプール１８がこれらの支軸１６によってフィルム装填室１２内に回転自在に保持される。
【００１０】
フィルム巻取室１４には、空スプール２０が支軸１６及びフィルム巻取室１４の上壁面に設けられたキー軸２２とによって支持されている。キー軸２２は空スプール２０に対して回転方向においても係合しており、撮影者のフィルム巻上げ操作にしたがってキー軸２２が回転駆動することにより空スプール２０をフィルム巻取り方向に回転させる。
【００１１】
フィルム装填室１２とフィルム巻取室１４との間にはアパーチャ２４が設けられており、フィルムへの露光範囲を規制している。アパーチャ２４とフィルム巻取室１４との間には測長ローラ２６が設けられ、フィルム巻取り時にフィルム給送に従動回転してフィルムの１コマ定尺送り及びフィルムカウンタ送りを行う。
【００１２】
フィルム装填蓋１０には圧板２８が取り付けられている。圧板２８はフィルム装填蓋１０を閉じた状態でアパーチャ２４の背後に位置し、アパーチャ２４の上下に設けられたフィルムレールとの間にフィルム給送路を形成する。また、フィルム装填蓋１０には係合突起３０が設けられており、フィルム装填蓋１０を閉じると本体３側に設けられた蓋ロックレバー３２と係合してフィルム装填蓋１０を閉じた状態でロックする。
【００１３】
図２は、フィルム巻取室の構成を示す斜視図である。本体３の底面、フィルム巻取室１４の下側にはスプールロックボタン３４が設けられている。空スプール２０をフィルム巻取室内にセットし、スプールロックボタン３４を本体３側に押下すると、スプールロックボタン３４と連動する支軸１６が空スプール２０に向かって突出し、空スプール２０が支軸１６と係合される。本体３の背面、フィルム巻取室１４の下側にはロック解除ボタン３６が設けられており、ロック解除ボタン３６を押下することにより支軸１６と空スプール２０との係合が解除される。
【００１４】
蓋ロックレバー３２はガイドレール３８上で移動自在に設けられており、蓋ロックレバー３２にはさらにロック爪４０が取り付けられている。フィルム装填蓋１０を閉じると、ロック爪４０がフィルム装填蓋１０の内面に取り付けられている係合突起３０と当接することにより蓋ロックレバー３２がガイドレール３８に沿って図中下方向に退避し、さらにフィルム装填蓋１０を閉じ方向に押し込むと係合突起３０がロック爪４０に嵌まり込むことにより蓋ロックレバー３２がフィルム装填蓋１０をロックする。フィルム装填蓋１０を開ける場合には、本体３側面に設けられたロック解除レバー４２を図中下方向に押下すれば、蓋ロックレバー３２によるフィルム装填蓋１０のロックが解除される。
【００１５】
蓋ロックレバー３２の下側には、ロック防止片４４がガイド４６上で蓋ロックレバー３２と直交する方向に移動自在に設けられている。ロック防止片４４はスプールロックボタン３４と連動しており、スプールロックボタン３４が押下されていないときには蓋ロックレバー３２と当接して蓋ロックレバー３２の移動を禁止している。スプールロックボタン３４が押下されると、ロック防止片４４は蓋ロックレバー３２と当接せず蓋ロックレバー３２が移動可能となる位置まで退避する。
【００１６】
図３はスプールロックボタン及びロック防止片の構成を示す分解斜視図である。スプールロックボタン３４には支軸１６が取り付けられており、バネ４６によって図中下方向に向かって常時付勢されている。スプールロックボタン３４はボタン受け５０に挿入され、軸止め５２が支軸１６に嵌め込まれることによりスプールロックボタン３４とボタン受け５０が一体に構成される。ボタン受け５０はネジ５４によって本体３の底面にネジ止めされている。
【００１７】
ロック解除ボタン３６には嵌合板５６、ロック防止片４４が一体に取り付けられている。これらロック解除ボタン３６、嵌合板５６及びロック防止片４４はバネ５８によって図中矢印方向に向かって常時付勢されている。
【００１８】
図４はスプールロックボタン及びロック防止片の動作を示す斜視図である。図４（Ａ）はスプールロックボタン３４が押下されていない状態を示している。スプールロックボタン３４が押下されていないときには、ボタン受け５０の内部で嵌合板５６が支軸１６によって係止されている。この状態で、フィルム装填蓋１０を閉じようとすると、係合突起３０がロック爪４０と当接するため蓋ロックレバー３２は図中下方向に移動しようとするが、ロック防止片４４が蓋ロックレバー３２と当接して蓋ロックレバー３２の移動を阻止するため、フィルム装填蓋１０を閉じることができない。
【００１９】
図４（Ｂ）はスプールロックボタン３４が押下された状態を示している。スプールロックボタン３４が押下されているときには、ボタン受け５０の内部で嵌合板５６が軸止め５２によって係止されている。この状態で、フィルム装填蓋１０を閉じようとすると、係合突起３０とロック爪４０の当接により蓋ロックレバー３２は図中下方向に移動しようとしてもロック防止片４４と蓋ロックレバー３２とが当接しないため、フィルム装填蓋１０を閉じることができる。
【００２０】
このように構成することにより、スプールロックボタン３４が押下されたときにのみ蓋ロックレバー３２の動作が可能になり、フィルム装填蓋１０がロックされる。したがって、撮影者が空スプール２０を支軸１６と係合させていない状態でフィルム装填蓋１０をロックすることはなく、フィルム巻取り操作に伴うフィルムの給送不良を防止することができる。
【００２１】
上記実施形態ではスプールロックボタン３４が押下されていない場合にはフィルム装填蓋１０がロックされないように構成することにより空スプール２０が正常に装填されていない状態でのフィルム巻取り操作を防止しているが、スプールロックボタン３４が押下されていない場合に空スプール２０が回転しないように構成してもフィルムの給送不良を防止することができる。
【００２２】
フィルム給送モータを備えるカメラの場合には、例えばスプールロックボタン３４もしくはロック解除ボタン３６の位置を検出するセンサを設け、センサからの信号を制御部で受信し、制御部により支軸１６が空スプール２０と係合していないと判断された場合にはフィルム給送モータへの通電を行わないように構成することができる。
【００２３】
また、手動巻き上げによりフィルム巻取り操作を行うカメラである場合には、例えばスプールロックボタン３４と連動するロック部材をフィルム巻上げノブ近傍に設け、スプールロックボタン３４が押下されていない場合にはロック部材がフィルム巻上げノブに設けられた歯車と係合することによりフィルム巻上げノブの回転を禁止するように構成することができる。
【００２４】
また、上記実施形態では空スプール側にスプールロックボタンと連動する操作禁止手段を設けたが、同様の機構を実スプール側に設けてもよいし、空スプール側と実スプール側の両方に設けてもよい。
【００２５】
【発明の効果】
以上説明したように、本発明のブローニーカメラによれば、スプールロック手段と連動し、スプールロック手段が係合解除位置にあるときには撮影者のフィルム装填蓋閉じ操作もしくはフィルム巻取り操作を禁止する操作禁止手段を設けたので、スプール装填のミスによるフィルムの給送不良を防止することができる。
【００２６】
また、前記操作禁止手段を、前記スプールロック手段が係合解除位置にあるときに前記フィルム装填蓋を閉じ位置にロックする蓋ロック部材に当接して前記蓋ロック部材の動作を禁止する蓋閉じ操作禁止手段とすることにより、簡素な構成でフィルムの給送不良を防止することができる。
【図面の簡単な説明】
【図１】本発明を実施したブローニーカメラの斜視図である。
【図２】フィルム装填部の構成を示す斜視図である。
【図３】スプールロックボタン及びロック防止片の構成を示す分解斜視図である。
【図４】スプールロックボタン及びロック防止片の動作を示す斜視図である。
【符号の説明】
２  ブローニーカメラ
３  本体
１０  フィルム装填蓋
２０  空スプール
３２  蓋ロックレバー
３４  スプールロックボタン
３６  ロック解除ボタン
４４  ロック防止片
【図１】
2004302103.tif 000003
【図２】
2004302103.tif 000004
【図３】
2004302103.tif 000005
【図４】
2004302103.tif 000006